(57)【要約】【課題】温度制御用センサーでサーモスイッチ１が容易に交換することが出来ることを特徴とするセンサーケース２を持つ温度制御用センサー。複数のサーモスイッチ１も交換可能。電子回路が交換可能なセンサーケース内に入っていていることを特徴とする温度制御用センサー。必要に応じて液位も判断できる。【解決手段】温度制御用センサーでサーモスイッチ１は交換可能な構造でセンサーケース２内に挿入されている。サーモの線は端子台３に接続される。交換可能なサーモスイッチ１は必要に応じて複数個センサーケースに内臓されている。サーモスイッチ１でない温度センサー１０を使って温度調節器（電子回路）１１が交換可能なセンサーケース２内や端子箱４に入っていていることを特徴とする温度制御用センサー。必要に応じて水位センサー６機能も有する構造とした。【選択図】 図１
2006310224.tif 000002
【特許請求の範囲】
【請求項１】
外気温度や液体温度に応じて加熱冷却装置を制御するために通電をオンオフするためのサーモスイッチの部分が容易に交換することが出来ることを特徴とするセンサーケースと端子台付きの端子箱を持つ温度制御用センサー。
【請求項２】
請求項１において、
複数のサーモスイッチが交換可能なセンサーケース内に入っていていることを特徴とする温度制御用センサー。
【請求項３】
請求項１において、
サーモスイッチと異なる温度センサーと電子制御回路が交換可能なセンサーケース内に入っていていることを特徴とする電子式温度制御用センサー。
【請求項４】
請求項１〜３において、
ヒーターの空焚きを防ぐやポンプ起動可能か等の液体水位の有無を判断することが出来る水位センサーが付いていることを特徴とする水位・温度制御用センサー。
【発明の詳細な説明】
【技術分野】
【０００１】
本発明は、外気温度や液体温度に応じて加熱冷却装置を制御するために通電をオンオフするためのサーモスイッチや電子式温度制御回路と液位センサーの設置作業や故障部品の交換作業などを効率良く行うことのできる温度・水位センサーに関するものである。
【背景技術】
【０００２】
【特許文献１】特許出願２００２−３１９５３８：特許公開２００４−１５０２３２
【特許文献２】特許出願２０００−２０３４３８：特許公開２００１−４１８２４
【発明の開示】
【発明が解決しようとする課題】
【０００３】
従来のサーモスイッチや温度センサーや液位センサーは、次のような不具合がある。
【０００４】
サーモスイッチに故障や不具合が発生した場合、液体の水中にセンサーが取り付いている場合には液体をセンサー位置以下に抜かないとサーモスイッチを交換することができない。センサーケースを含めて交換する必要があり、コスト高に繋がっていた。
【０００５】
また、電子制御回路内蔵の温度センサーはなく、温度調節器等の制御機器と温度センサー部は離れて設置されており、センサーまでの線路の保証回路が必要であった。ケースはセンサー部と調整部が別々に必要であり、コスト高に繋がっていた。
【０００６】
温度センサーと液位レベルセンサーの両方が必要な場合の取り付け作業では２箇所別々の加工や作業が必要になり、コスト高に繋がっていた。
【０００７】
本発明の課題は、このような点に鑑みて、作業性良く温度・水位センサーを提案することにある。
【課題を解決するための手段】
【０００８】
上記の課題を解決するために、本発明は、
請求項１発明の、外気温度や液体温度に応じて加熱冷却装置を制御するために通電をオンオフするためのサーモスイッチは交換可能なセンサーケースに収まる構造とした。また配線作業も効率良く行うことのできるように端子台を設けた。
【０００９】
請求項２発明の複数のサーモスイッチが交換可能なセンサーケース内に入っていていることを特徴とする温度制御用センサーは複数個のサーモスイッチがセンサーケースに収まる構造とした。また配線作業も効率良く行うことのできるように端子台を複数個設けた。複数個の交換可能なセンサーを儲けたことによって、設定温度の変更や複数の温度での制御が容易になった。交換作業や設置作業の作業性が改善される。
【００１０】
請求項３発明の電子制御回路が交換可能なセンサーケース内に入っていていることを特徴とする電子式温度制御用センサーではサーモスイッチより正確な温度制御が可能となる。また温度調節器の機能のＰＩＤ制御機能や電圧・電流出力等による正確な温度制御が可能となる。
【００１１】
電子式温度制御用センサーでは温度制御用データや計測した温度データをシリアル通信によって送受信することにより温度設定の変更や調節器機能のＰＩＤ制御機能等の設定を変更することや自動チューニングすることも出来る。
【００１２】
請求項４発明のヒーターの空焚きを防ぐやポンプ起動可能か等の液体水位の有無を判断することが出来る水位センサーが付いていることを特徴とする水位・温度制御用センサー。
【発明の効果】
【００１３】
サーモスイッチに故障や不具合や温度条件変更が発生した場合、液体の水中にセンサーが取り付いている場合でもサーモスイッチのみを交換することが可能になり、コストダウンと作業効率が改善された。
【００１４】
複数個の交換可能なセンサーを設けたことによって、設定温度の変更や複数の温度での制御が可能になった。交換作業や設置作業の作業性が改善された。
【００１５】
電子制御回路内蔵の温度センサーは温度調節器等の制御機器と温度センサー部は同一のセンサーケース内に設置されており、センサーまでの線路の保証回路は不要となった。また、ケースはセンサー部と調整部が１つで済み、コストダウンとなった。
【００１６】
温度センサーと液位レベルセンサーの両方が必要な場合の取り付け作業は１箇所で済む様になった。加工や配線等作業が減り、コストダウンとなった。
【発明を実施するための最良の形態】
【００１７】
以下に、図面を参照して、本発明を適用した温度センサーと温度・水位センサーの実施の形態を説明する。
【００１８】
図１は、断面構造図で液体が入ったタンク又は水槽に請求項１発明のサーモスイッチ１がＡＢ２個、交換可能なセンサーケース２に収まるっている。交換は端子箱蓋７を開けて行える。
内部の液体は漏れない様にセンサーケース２の固定はナットとパッキンでしっかり挟み込む構造になっている。
【００１９】
また、配線作業も効率良く行うことのできるように端子台３が設けてあり、端子箱蓋７を開けて作業できる構造になっている。端子台３の収まっている部分端子箱４はセンサーケース２と一体構造にもすることも考えることが出来る。
【００２０】
サーモスイッチ１の数は必要に応じて端子数を増やし、センサーケース２と端子台３のサイズ変更を行うことで可能である。
【００２１】
なお、端子台３や端子箱４を使用しないで配線のケーブルを引き出す構造とすることも考えられる。また、サーモスイッチ１は温度を正確に測定する為に隙間にシリコングリス等を注入するやバネで抑えることも考えられる。
【００２２】
サーモスイッチ１は、例えば、凍結防止用なら温度が低温、５℃以下になるとオフ状態からオン状態に切り換わり、温度が高温、１０℃以上になるとオフ状態に切り換わるように動作設定されている。
【００２３】
ヒーターの空焚きを防ぐやポンプ起動可能か等の液体水位の有無を判断することが出来る水位センサー６が付いている。配線は端子台３に接続される。水位センサー６は主にリードスイッチ式や電極式等のものが考えられる。
【００２４】
また、取り付け部をねじとして水位の計測の状態によって交換可能とすることも考えられる。図１は代表例であり、特許範囲を制約するものではない。
【００２５】
水位センサー６は不要な場合は取り付かない。また、取り付け部をねじとして水位の計測の状態によって交換可能とすることも考えられる。図１は代表例であり、特許範囲を制約するものではない。
【００２６】
図２は、温度センサー１０と温度調節器１１が交換可能なセンサーケース内に入っていていることを特徴とする電子式温度制御用センサーの断面構造図である。
【００２７】
温度センサー１０はＩＣセンサー、白金測温抵抗体、サーミスター、熱電対等が考えられる。センサーや目的の制御に応じて表示装置１３、設定装置１２を含む温度調節器１１の電子制御回路は交換出来る。
【００２８】
温度調節器１１の電子制御回路は主にＡ／Ｄ変換やメモリ機能付きＣＰＵやＩＣで構成されている。表示装置１３は液晶やＬＥＤで構成される。設定装置１２はスイッチやボリュームで構成される。
【００２９】
制御出力１４は目的の仕様によってオン・オフ制御（複数イベントも有り）や電流制御等、温度調節器の一般的な制御機能を有するものである。制御出力１４は端子台３より信号を送信できる。
【００３０】
必要に応じて通信機能１５が付加され、端子台３より信号を送受信できる。通信機能でＰＩＤの定数の変更や温度設定値の変更も可能である。また、計測した温度データの転送や警報データも送信できる。
【００３１】
また、水位センサー６が電極式の場合はレベル判定回路を内蔵して端子台３へ信号を出すことも考えられる。
【００３２】
図３は、温度センサー１０と温度調節器１１の電子制御回路が交換可能なセンサーケース内に入っていていることを特徴とする電子式温度制御用センサーのブロック図である。
端子台３はコネクターとすることも考えられる。
図３は代表例であり、特許範囲を制約するものではない。
【実施例】
【００３３】
液体や気体の温度制御や水位制御（液体のみ）に用いる。
【産業上の利用可能性】
【００３４】
この出願の発明は、制御構造を持った温度センサーと水位センサーに関するものである。
【００３５】
サーモスイッチや白金測温抵抗体、熱電対、サーミスター、ＩＣ温度センサーに置き換えることが可能なものである。
【図面の簡単な説明】
【００３６】
【図１】請求項１、２、４発明を示す全体構成図である。
【００３７】
【図２】請求項３、４発明を示す全体構成図である。
【００３８】
【図３】請求項３発明を示すブロック図である。
【符号の説明】
【００３９】
１ サーモスイッチ
２ センサーケース
３ 端子台
４ 端子箱
５ 配線用穴
６ 水位センサー
７ 端子箱蓋
１０ 温度センサー（ＩＣセンサー、白金測温抵抗体、サーミスター、熱電対）
１１ 温度調節器（ＣＰＵ含む）
１２ 設定装置
１３ 表示装置
１４ 制御出力
１５ 通信機能
１６ 電源
【図１】
2006310224.tif 000003
【図２】
2006310224.tif 000004
【図３】
2006310224.tif 000005